(57)【要約】【課題】カプラへの絶縁テープの巻き付け作業の工数を半分にして、施工性を向上させた面状発熱体及びこれを用いた床暖房装置を提供すること。【解決手段】面状発熱体（発熱シート２３）は、発熱シート本体（発熱層２４）に接続された第１，第２のリード線（２８，２９）と、前記第１，第２のリード線（２８，２９）の自由端部にそれぞれ接続され且つ一対の電源配線[３２，３３（又は３２ａ，３３ａ）]にそれぞれ接続された第３，第４のコネクタ部材（３４ａ，３５ａ）にそれぞれ接続される第１，第２のコネクタ部材（２８ａ，２９ａ）を備える面状発熱体であって、前記第１，第２のリード線（２８，２９）の長さを変えた構成としている。【選択図】  図９
2006017328.tif 000002
【特許請求の範囲】
【請求項１】
発熱シート本体に接続された第１，第２のリード線と、前記第１，第２のリード線の自由端部にそれぞれ接続され且つ一対の電源配線にそれぞれ接続された第３，第４のコネクタ部材にそれぞれ接続される第１，第２のコネクタ部材を備える面状発熱体であって、
前記第１，第２のリード線の長さを変えたことを特徴とする面状発熱体。
【請求項２】
前記第１，第３のコネクタは第１のカプラを構成し、第２，第４のコネクタは第２のカプラを構成していると共に、前記第１，第２のリード線の長さは略前記カプラの長さ分だけ異なることを特徴とする請求項１に記載の面状発熱体。
【請求項３】
請求項１又は２に記載の面状発熱体を備えることを特徴とする床暖房装置。
【発明の詳細な説明】
【技術分野】
【０００１】
この発明は、発熱シート本体をカプラで電源配線に接続するようにした面状発熱体及びこれを用いた床暖房装置に関するものである。
【背景技術】
【０００２】
従来、住宅等の建物の床暖房構造としては、捨て張り板等の下床板上に複数枚の発熱シートを間隔をおいて配設し、これらの発熱シートをフローリングボード等の上床板（表面板）でカバーするようにしたものが知られている（例えば、特許文献１参照）。
【０００３】
図１１（ａ），（ｂ）は、発熱シート配線構造の一例を示したものである。図１１（ａ），（ｂ）において、発熱シート１は長方形状に細長く形成されている。そして、発熱シート１に接続されたリード線２，３にはプラグ（雄コネクタ）２ａ，３ａが接続固定されている。一方、図示しない１次電源に接続されたコントローラ（図示せず）に接続される配線には雌コネクタ２ｂ，３ｂが接続されている。そして、雌コネクタ２ｂ，３ｂにプラグ２ａ，３ａを接続することにより、コントローラを介して発熱シート１に通電制御を行うことができるようになっている。この通電制御により発熱シート１が発熱することで、図示しないフローリングボード等の上床板（表面板）が暖められるようになっている。尚、プラグ２ａと雌コネクタ２ｂは第１のカプラを構成し、プラグ３ａと雌コネクタ３ｂは第２のカプラを構成している。
【０００４】
また、図１１（ｂ）の如く雌コネクタ２ｂ，３ｂにプラグ２ａ，３ａを接続した状態では、プラグ２ａ，３ａに一部が雌コネクタ２ｂ，３ｂから露出しているので、プラグ２ａ，３ａの露出部同士が接触しないように、プラグ２ａと雌コネクタ２ｂとの接続部４を図示しない絶縁テープでカバーすると共に、プラグ３ａと雌コネクタ３ｂとの接続部５と図示しない絶縁テープでカバーしている。
【特許文献１】特開２００４−９５３９３号公報
【発明の開示】
【発明が解決しようとする課題】
【０００５】
このような床暖房構造においては、接続部４と接続部５を別々に図示しない絶縁テープを巻くようにしているため、絶縁テープの巻き付け作業の工数が多くなり、施工性が悪いという問題があった。
【０００６】
そこで、この発明は、カプラへの絶縁テープの巻き付け作業の工数を半分にして、施工性を向上させた面状発熱体及びこれを用いた床暖房装置を提供することを目的とするものである。
【課題を解決するための手段】
【０００７】
この目的を達成するため、請求項１の発明は、発熱シート本体に接続された第１，第２のリード線と、前記第１，第２のリード線の自由端部にそれぞれ接続され且つ一対の電源配線にそれぞれ接続された第３，第４のコネクタ部材にそれぞれ接続される第１，第２のコネクタ部材を備える面状発熱体であって、前記第１，第２のリード線の長さを変えた面状発熱体としたことを特徴とする
また、請求項２の発明は、前記第１，第３のコネクタは第１のカプラを構成し、第２，第４のコネクタは第２のカプラを構成していると共に、前記第１，第２のリード線の長さは略前記カプラの長さ分だけ異なることを特徴とする。
【０００８】
更に、請求項３の発明は、請求項１又は２に記載の面状発熱体を備える床暖房装置としたことを特徴とする。
【発明の効果】
【０００９】
この様な構成によれば、カプラへの絶縁テープの巻き付け作業の工数を半分にして、施工性を向上させることができる。
【発明を実施するための最良の形態】
【００１０】
以下、この発明の実施の形態を図面に基づいて説明する。
【００１１】
図１において、１０は鉄筋コンクリート製の集合住宅、１１は集合住宅１０の居室、１２は居室１１のコンクリート床、１３は居室１１の仕切壁、１４は居室１１の外壁である。
【００１２】
この居室１１のコンクリート床１２上には、パーティクルボード（第１の下床板）１５が支持部材１６を介して水平に支持されている。また、図２，図３に示したようにコンクリート床１２とパーティクルボード１５との間には例えばグラスウール等の断熱材１２ａが配設されている。
【００１３】
支持部材１６は、図２，図３に示したように高さ調整が可能な支柱１７と、支柱１７の上端部に取り付けられたゴム又は軟質の樹脂等の絶縁材料製の防振部材１８を有する。そして、防振部材１８とパーティクルボード１５の間には、小形状で方形の支持板１９が介装されている。
【００１４】
このパーティクルボード１５上には、図１，図２に示したように第２の下床板としての捨て張り板２０が配設されている。この捨て張り板２０は、外壁１４側の部分に設けた細幅の第１の捨て張り板２０ａと、この第１の捨て張り板２０ａと間隔をおいて配設されたメインの第２の捨て張り板２０ｂを有する。
【００１５】
そして、図１，図２，図４に示したように捨て張り板２０ａ，２０ｂ間には、外壁１４に沿って延びる配線空間２１が形成されている。この捨て張り板２０ｂの配線空間２１側端部上には、この配線空間２１に沿って延びる導電性テープ（導電性部材）２２が貼り付けられている。
【００１６】
この導電性テープ２２としては、例えばアルミ製のテープを用いることができるが、導電性を有すれば必ずしもアルミ製のテープに限定されるものではなく、銅やその他の導電性の金属テープ（又は金属板）でも良いし、カーボン繊維製の非金属製導電板又は非金属製導電テープでも良い。
【００１７】
また、捨て張り板２０ｂ上には、複数枚の発熱シート２３が所定間隔Ｌをおいて配設されている。この複数枚の発熱シート２３は、図５，図６に示したように４枚一組の２つの発熱シート列２３Ａ，２３Ｂを構成している。図５，図６では、説明の便宜上、発熱シート列２３Ａ，２３Ｂ間の間隔を間隔Ｌよりも大きく取っているが、実際には図７の如く発熱シート列２３Ａ，２３Ｂ間の間隔も間隔Ｌに設定されている。
【００１８】
各発熱シート２３は、図８（ｂ）に示したように通電することにより発熱する発熱材料からなる発熱層（ヒータ部材、発熱シート本体）２４と、この発熱層２４を覆う絶縁防水保護フィルム（絶縁部材）２５，２６を有する。この発熱シート２３は、絶縁防水保護フィルム２５側が捨て張り板２０ｂ上に載置されている。尚、この発熱シート２３には、例えば自己温度制御タイプのＰＴＣ（Positive Temperature coefficient）ヒータが用いられている。
【００１９】
しかも、この絶縁防水保護フィルム２５の外表面には、図８（ａ），図８（ｂ）に示したようにアルミ箔（アルミシート）等の導電性シート２７が導電層として貼り付けられている。尚、この導電性シート２７としては、導電性を有し且つ熱伝導性の高い材料であればアルミ箔（アルミシート）等以外の材料であっても良い。そして、この導電性シート２７の長手方向の端部は、捨て張り板２０ｂ上の導電性テープ２２上に載置されて、導電性テープ２２に接触している。
【００２０】
また、図８（ｂ）の発熱層２４に通電する電極（図示せず）に接続されたリード線２８，２９が発熱シート２３の一端部から引き出されている。このリード線２８，２９の端部には、図９（ａ）〜図９（ｃ）に示したように接続プラグ（雄コネクタ）２８ａ，２９ａが接続されている。
【００２１】
更に、図１に示したように仕切壁１３の内装壁１３ａには、配線空間２１側に位置させてコントローラ３０が取り付けられている。このコントローラ３０は、図６に示したように屋内配線等の電源３１に接続されている。このコントローラ３０内には、図６Ａに示したように制御基板３０ａが設けられている。
【００２２】
尚、導電性テープ２２には図７に示したようにリード線２２ａの一端部が接続されている。このリード線２２ａの他端部は、絶縁抵抗計測時に絶縁抵抗計の検出部に接続するようになっている。
【００２３】
また、このコントローラ３０には、図６に示したように発熱シート列２３Ａへの配線３２，３３及び発熱シート列２３Ｂへの配線３２ａ，３３ａが接続されている。この配線３２（３２ａ），３３（３３ａ）は上述した配線空間２１内に配設される。尚、Ｔ１〜Ｔ４は制御基板３０ａに設けられた接続端子で、接続端子Ｔ１〜Ｔ４には配線３２，３３，３２ａ，３３ａが接続されている。
【００２４】
この配線３２（３２ａ），３３（３３ａ）には、図９（ａ）に示したようにリード線３４，３５がそれぞれ接続され、リード線３４，３５には雌コネクタ３４ａ，３５ａが接続されている。尚、接続プラグ２８ａと雌コネクタ３４ａは第１のカプラ３６を構成し、接続プラグ２９ａと雌コネクタ３５ａは第２のカプラ３７を構成している。
【００２５】
しかも、リード線２８の長さは、略接続プラグ２８ａ（２９ａ）長さ（寸法）分だけリード線２９の長さよりも長く形成されている。また、リード線３５の長さは、略雌コネクタ３４ａ（３５ａ）長さ（寸法）分だけリード線３４の長さよりも長く形成されている。
【００２６】
これにより、図９（ｂ）の状態から接続プラグ２８ａ，２９ａを図９（ａ）の如く雌コネクタ３４ａ，３５ａに接続したとき、図９（ｃ），図１０に示したように接続プラグ２８ａの雌コネクタ３４ａへの接続部３６と接続プラグ２９ａの雌コネクタ３５ａへのカプラ３７は接続方向に略カプラ３６（３７）の長さ分だけずれた状態となっている。
【００２７】
この状態では、図１０に示したようにカプラ３６，３７を一部が僅かに重なるように寄せても、リード線２８，２９や３４，３５及び接続プラグ２８ａ，２９ａの露出部は互いに重なって接触することがない。
【００２８】
従って、カプラ３６，３７の部分を同時に絶縁テープで多数捲回することにより、カプラ３６，３７の回りに一つの絶縁テープ部３８が形成されているので、絶縁テープの捲回作業性（施工性）が良い。これにより、リード線２８，２９や３４，３５及び接続プラグ２８ａ，２９ａの露出していた部分は絶縁テープ部３８により覆われている。このような接続及び絶縁テープの捲回は各発熱シート２３ごとに行われる。
【００２９】
更に、このようにして接続された複数の発熱シート２３上には図１に示したようにフローリングボード（上床板）３９が配設され、発熱シート２３がフローリングボード３９により覆われている。このフローリングボード３９は、釘（固定金具）４０によりパーティクルボード２０ｂ上に固定されている。尚、フローリングボード３９をパーティクルボード２０ｂ上に固定する固定金具としては、釘４０に限定されるものではなく、ステープル等であっても良い。
【００３０】
次に、このような構成の床暖房構造の作用を説明する。
【００３１】
この様な構成においては、各発熱シート２３の下面の導電性シート２７は導電性テープ２２に接触しているので、導電性シート２２に接続したリード線２２ａを絶縁抵抗を検出する絶縁抵抗計の検出部に接続して計測（検査）したときに、絶縁抵抗が所定値（例えば１００ＭΩ）以上となれば、釘４０は発熱層２４及び導電性シート２７を貫通していないので、漏電していないことが分かる。
【００３２】
また、フローリングボード３９を釘４０によりパーティクルボード２０ｂ上に固定する際、釘４０が発熱シート２３を貫通している場合、釘４０は図８（ｂ）の発熱層２４及び導電性シート２７を貫通するので、発熱層２４と導電性シート２７が釘４０を介して導通する。この場合には、リード線２２ａを絶縁抵抗を検出する絶縁抵抗計の検出部に接続して計測（検査）したときに、絶縁抵抗計が所定値（例えば、１００ＭΩ）より低い抵抗値を示すので、釘４０が発熱シート２３を貫通して漏電していると分かる。このように漏電があった場合には、発熱シート２３を貼り替える。
【００３３】
また、このような計測により漏電が無い場合には、コントローラ３０を操作して、発熱シート２３の発熱層２４に通電することで、発熱層２４が発熱する。この発熱による熱は、導電性シート２７を介して発熱シート２３の下面全体に均一に広がるので、フローリングボード３９全体を略均一に暖めることができる。
（変形例２）
以上説明した実施例では、導電性テープ２２を全ての発熱シート２３の導電性シート２７に跨って接触させるようにしているが、必ずしもこれに限定されるものではない。
【００３４】
例えば、発熱シート列２３Ａの複数の発熱シート２３の導電性シート２７に跨る導電性テープと、発熱シート列２３Ｂの複数の発熱シート２３の導電性シート２７に跨る導電性テープを設けて、発熱シート列２３Ａ，２３Ｂごとに絶縁抵抗を測定できるようにすることもできる。
【００３５】
また、全ての発熱シート２３の導電性シート２７の配線の検出端子を制御基板３０ａに設けて、各発熱シート２３ごとに絶縁抵抗を検出するようにすることもできる。この場合には、発熱シート２３の数に応じた数のプリント配線（表面は絶縁層で覆われている）が施された帯状シートを用いて、この帯状シートの絶縁層の表面に各発熱シート２３に対応し且つ各プリント配線にそれぞれ接続された複数の接触部を設けた構成としても良い。この構成によれば、各発熱シート２３ごとに絶縁抵抗を測定できるので、発熱シート２３の一つが漏電している場合、この漏電している発熱シートのみを交換すればよい。
（変形例３）
また、以上説明した実施例では、発熱シート２３を集合住宅１０の床に適用した例を示したが、必ずしもこれに限定されるものではない。例えば、内装壁１３ａに適用することもできる。この場合には、内装壁１３ａと仕切壁１３との間に発熱シート２３を取り付けるシート取付ボードを配設し、このシート取付ボードと内装壁１３ａとの間に発熱シート２３介装して、上述した床暖房構造と同じ構造を適用するようにしても良い。
【００３６】
更に、上述した暖房構造はコンクリート製の集合住宅１０に適用した例を示したが、オフィスビルや１個建ての住宅等の建物に適用できることは勿論である。
【００３７】
以上説明したように、この発明の実施の形態の面状発熱体（発熱シート２３）は、発熱シート本体（発熱層２４）に接続された第１，第２のリード線（２８，２９）と、前記第１，第２のリード線（２８，２９）の自由端部にそれぞれ接続され且つ一対の電源配線[３２，３３（又は３２ａ，３３ａ）]にそれぞれ接続された第３，第４のコネクタ部材（３４ａ，３５ａ）にそれぞれ接続される第１，第２のコネクタ部材（２８ａ，２９ａ）を備える面状発熱体であって、前記第１，第２のリード線（２８，２９）の長さを変えた構成としている。
【００３８】
この様な構成によれば、カプラへの絶縁テープの巻き付け作業の工数を半分にして、施工性を向上させることができる。
【００３９】
また、この発明の実施の形態の面状発熱体（発熱シート２３）において、前記第１，第３のコネクタ（２８ａ，３４ａ）は第１のカプラ３６を構成し、第２，第４のコネクタ（２９ａ，３５ａ）は第２のカプラ３７を構成していると共に、前記第１，第２のリード線（２８，２９）の長さは略前記カプラ（３６，３７）の長さ分だけ異ならせている。
【００４０】
この様な構成によれば、カプラへの絶縁テープの巻き付け作業の工数を半分にして、施工性を向上させることができる。
【００４１】
更に、この発明の実施の形態の床暖房装置は、長さの異なるリード線（２８，２９）又は略前記カプラ（３６，３７）の長さ分だけ異ならせている面状発熱体（発熱シート）を備えている。
【００４２】
この様な構成によれば、カプラへの絶縁テープの巻き付け作業の工数を半分にして、施工性を向上させることができる。
【図面の簡単な説明】
【００４３】
【図１】この発明に係る発熱シート，シート絶縁抵抗検出構造，床暖房構造を備える住宅の部分斜視図である。
【図２】図１のＡ１−Ａ１線に沿う断面図である。
【図３】図１のＡ２−Ａ２線に沿う断面図である。
【図４】図２のフローリングボードを省略した要部拡大説明図である。
【図５】図１の床の平面図である。
【図６】図５の発熱シートとコントローラの接続管系を示す配線図である。
【図６Ａ】図５のコントローラ内の制御基板の部分説明図である。
【図７】図５の発熱シートと導電性テープとの関係を示す説明図である。
【図８】（ａ）は発熱シートの面図である、（ｂ）は（ａ）のＡ３−Ａ３線に沿う断面図である。
【図９】（ａ）は発熱シートとコントローラへの配線との間の接続構造の説明図、（ｂ）は（ａ）の接続プラグと雌コネクタとを分離した状態の説明図、（ｃ）は（ａ）の接続部の要部拡大図である。
【図１０】図９の接続プラグと雌コネクタとを接続して、この接続部に絶縁テープを捲回した状態の説明図である。
【図１１】従来の発熱シートの接続プラグと配線側の雌コネクタとの関係を示す説明図である。
【符号の説明】
【００４４】
２３…発熱シート（面状発熱体）
２４…発熱層（発熱シート本体）
２８…リード線（第１２のリード線）
２８ａ…接続プラグ（第１のコネクタ部材）
２９…リード線（第２のリード線）
２９ａ…接続プラグ（第２のコネクタ部材）
３２，３２ａ…配線（電源配線）
３３，３３ａ…配線（電源配線）
３４ａ…雌コネクタ（第３のコネクタ部材）
３５ａ…雌コネクタ（第４のコネクタ部材）
３６…第１のカプラ
３７…第２のカプラ
【図１】
2006017328.tif 000003
【図２】
2006017328.tif 000004
【図３】
2006017328.tif 000005
【図４】
2006017328.tif 000006
【図５】
2006017328.tif 000007
【図６】
2006017328.tif 000008
【図６Ａ】
2006017328.tif 000009
【図７】
2006017328.tif 000010
【図８】
2006017328.tif 000011
【図９】
2006017328.tif 000012
【図１０】
2006017328.tif 000013
【図１１】
2006017328.tif 000014